(57)【要約】【課題】利便性を落とさずに、副コンテンツのニーズの違い等による問題を解消させ得る情報送信装置を提供する。【解決手段】主コンテンツと副コンテンツを含む情報を受信する受信部と、コンテンツを表示する表示装置が接続される接続部と、前記表示装置における前記副コンテンツの表示に関する設定情報を、取得して保持する情報取得保持部と、前記主コンテンツを含むコンテンツ情報を前記表示装置に送信する送信部と、を備え、前記送信部は、保持されている前記設定情報に基づき、前記コンテンツ情報に前記副コンテンツを含ませるか否かを決める情報送信装置とする。【選択図】図５
2015019197.tif 000002
【特許請求の範囲】
【請求項１】
主コンテンツと副コンテンツを含む情報を受信する受信部と、
コンテンツを表示する表示装置が接続される接続部と、
前記表示装置における前記副コンテンツの表示に関する設定情報を、取得して保持する情報取得保持部と、
前記主コンテンツを含むコンテンツ情報を前記表示装置に送信する送信部と、を備え、
前記送信部は、
保持されている前記設定情報に基づき、前記コンテンツ情報に前記副コンテンツを含ませるか否かを決めることを特徴とする情報送信装置。
【請求項２】
前記設定情報は、前記表示装置における前記副コンテンツの表示のオン／オフ設定を表す情報であり、
前記送信部は、
前記接続がなされたときに予め保持されている前記設定情報を参照し、
前記コンテンツ情報にオン設定である前記副コンテンツを含ませて、オフ設定である前記副コンテンツを含ませないようにすることを特徴とする請求項１に記載の情報送信装置。
【請求項３】
前記情報取得保持部は、
前記接続がなされたときに前記設定情報を保持していない場合、前記設定情報を取得する動作を行い、
次回以降の前記接続がなされるときに前記参照が可能となるように、取得した前記設定情報を保持することを特徴とする請求項２に記載の情報送信装置。
【請求項４】
ディスプレイを備え、
前記ディスプレイに前記主コンテンツを表示させることを特徴とする請求項３に記載の情報送信装置。
【請求項５】
ユーザに操作される操作部を備え、
前記情報取得保持部は、
前記設定情報の入力操作を受付けることにより前記設定情報を取得するものであって、
前記入力操作を促すメニュー画面を、前記ディスプレイに表示させることを特徴とする請求項４に記載の情報送信装置。
【請求項６】
前記情報取得保持部は、
前記表示装置においてなされた前記設定情報の入力操作の情報を、前記表示装置から受信することにより前記設定情報を取得するものであって、
前記表示装置における前記入力操作を促すメニュー画面の情報を、前記表示装置へ送信することを特徴とする請求項１から請求項５の何れかに記載の情報送信装置。
【請求項７】
複数の前記表示装置のうちの任意のものが接続される、請求項１から請求項６の何れかに記載の情報送信装置であって、
前記情報取得保持部は、
前記表示装置ごとに、前記設定情報を取得して保持することを特徴とする情報送信装置。
【請求項８】
前記主コンテンツは、動画であり、
前記副コンテンツは、前記動画に対応した字幕のＯＳＤ画像であることを特徴とする請求項１から請求項７の何れかに記載の情報送信装置。
【請求項９】
ＯＳＤ画像の描画に用いられる第１描画領域および第２描画領域、が割り当てられたメモリを備え、
第１描画領域に描画されたＯＳＤ画像を前記主コンテンツに重畳させることにより、前記ディスプレイに表示させる情報を生成し、
第２描画領域に描画されたＯＳＤ画像を前記主コンテンツに重畳させることにより、前記コンテンツ情報を生成する請求項１から請求項８の何れかに記載の情報送信装置であって、
第１描画領域における字幕非描画領域と第２描画領域における字幕非描画領域は、少なくとも一部が共通化されていることを特徴とする情報送信装置。
【請求項１０】
前記共通化されている領域において、
所定情報を示すＯＳＤ画像を描画することを特徴とする請求項９に記載の情報送信装置。
【請求項１１】
コンテンツを表示する表示装置へ情報を送信する情報送信方法であって、
主コンテンツと副コンテンツを含む情報を受信する第１処理と、
前記表示装置における前記副コンテンツの表示に関する設定情報を、取得して保持する第２処理と、
保持されている前記設定情報に基づき、前記主コンテンツを含むコンテンツ情報に前記副コンテンツを含ませるか否かを決める第３処理と、
前記コンテンツ情報を前記表示装置へ送信する第４処理と、
を含むことを特徴とする情報送信方法。
【請求項１２】
前記設定情報は、前記表示装置における前記副コンテンツの表示のオン／オフ設定を表す情報であり、
前記第３処理は、
前記表示装置が接続されたときに予め保持されている前記設定情報を参照し、
前記コンテンツ情報にオン設定である前記副コンテンツを含ませて、オフ設定である前記副コンテンツを含ませないようにする処理であることを特徴とする請求項１１に記載の情報送信方法。
【発明の詳細な説明】
【技術分野】
【０００１】
本発明は、コンテンツ情報を送信する情報送信装置、および情報送信方法に関する。
【背景技術】
【０００２】
従来、例えば映画等の動画（主コンテンツ）と字幕（副コンテンツ）を含む情報を受信し、動画を字幕付きで再生するように構成されたテレビ放送受像機が利用されている。しかし字幕表示は、外国人や聴覚障害者等にとっては有用であるが、通常の視聴者にとっては、動画を遮ってしまう邪魔な表示となることが多い。
【０００３】
このような字幕のニーズの違いによる問題を解消するシステムとして、特許文献１には、主受信端末装置と副受信端末装置を備えるシステムが開示されている。当該システムにおける副受信端末装置は、主受信端末装置に接続される度に、メニュー画面を表示してユーザによる副コンテンツの選択操作を受付け、選択内容を主受信端末装置へ通知する。主受信端末装置はこの通知を受けると、主コンテンツと選択された副コンテンツの情報を、副受信端末装置へ送信する。
【０００４】
当該システムの主受信端末装置は、自機において動画を字幕無しで表示しつつ、副受信端末装置に動画を字幕付きで表示させることが出来る。これにより、字幕の必要な視聴者と不要な視聴者の何れにとっても、動画を快適に視聴することが可能となる。
【先行技術文献】
【特許文献】
【０００５】
【特許文献１】特開２０１２−１７８８７５号公報
【発明の概要】
【発明が解決しようとする課題】
【０００６】
上述したシステムを実現させるために、副受信端末装置は、主受信端末装置へ接続される度にメニュー画面を表示して選択操作を受付ける機能や、選択された設定内容を認識して主受信端末装置へ通知するための機能等を有する必要がある。すなわち主受信端末装置だけでなく、副受信端末装置にも、本システム専用の機能を設けておく必要がある。
【０００７】
例えば当該機能が専用のアプリケーションソフトウェア（専用アプリ）によって提供される場合には、ユーザ等はこの専用アプリを、副受信端末装置に予めインストールしておかなければならない。このことはユーザ等の作業負担を増大させる結果を招き、利便性等の観点から好ましいとは言えない。
【０００８】
なお副受信端末装置には、少なくとも、上述した機能を実現させ得るだけの性能が求められることになる。その分、副受信端末装置として利用できる機種が限定されてしまい、当該システムを容易に実現させることが出来なくなる。このような不都合は、副コンテンツが字幕の場合に限られず、その他の場合であっても問題となり得る。
【０００９】
本発明は上述した問題点に鑑み、利便性を落とさずに、副コンテンツのニーズの違い等による問題を解消させ得る情報送信装置、および情報送信方法の提供を目的とする。
【課題を解決するための手段】
【００１０】
本発明に係る情報送信装置は、主コンテンツと副コンテンツを含む情報を受信する受信部と、コンテンツを表示する表示装置が接続される接続部と、前記表示装置における前記副コンテンツの表示に関する設定情報を、取得して保持する情報取得保持部と、前記主コンテンツを含むコンテンツ情報を前記表示装置に送信する送信部と、を備え、前記送信部は、保持されている前記設定情報に基づき、前記コンテンツ情報に前記副コンテンツを含ませるか否かを決める構成とする。本構成によれば、利便性を落とさずに、副コンテンツのニーズの違い等による問題を解消させることが可能となる。
【００１１】
また上記構成としてより具体的には、前記設定情報は、前記表示装置における前記副コンテンツの表示のオン／オフ設定を表す情報であり、前記送信部は、前記接続がなされたときに予め保持されている前記設定情報を参照し、前記コンテンツ情報にオン設定である前記副コンテンツを含ませて、オフ設定である前記副コンテンツを含ませないようにする構成としてもよい。
【００１２】
また上記構成において、前記情報取得保持部は、前記接続がなされたときに前記設定情報を保持していない場合、前記設定情報を取得する動作を行い、次回以降の前記接続がなされるときに前記参照が可能となるように、取得した前記設定情報を保持する構成としてもよい。本構成によれば表示装置において、例えば情報送信装置へ接続される度に設定情報を送信する等の処理が不要となり、機能の簡略化が容易となる。
【００１３】
また上記構成としてより具体的には、ディスプレイを備え、前記ディスプレイに前記主コンテンツを表示させる構成としてもよい。また上記構成においてユーザに操作される操作部を備え、前記情報取得保持部は、前記設定情報の入力操作を受付けることにより前記設定情報を取得するものであって、前記入力操作を促すメニュー画面を、前記ディスプレイに表示させる構成としてもよい。本構成によれば、ユーザは情報送信装置側の操作により、設定情報を容易に入力することが可能となる。
【００１４】
また上記構成としてより具体的には、前記情報取得保持部は、前記表示装置においてなされた前記設定情報の入力操作の情報を、前記表示装置から受信することにより前記設定情報を取得するものであって、前記表示装置における前記入力操作を促すメニュー画面の情報を、前記表示装置へ送信する構成としてもよい。本構成によれば、ユーザは表示装置側の操作により、設定情報を容易に入力することが可能となる。
【００１５】
また複数の前記表示装置のうちの任意のものが接続される上記構成の情報送信装置において、前記情報取得保持部は、前記表示装置ごとに、前記設定情報を取得して保持する構成としてもよい。本構成によれば、例えば複数の表示装置が適宜交代して用いられる場合であっても、設定情報を適切に取得して保持することが可能となる。
【００１６】
また上記構成としてより具体的には、前記主コンテンツは動画であり、前記副コンテンツは、前記動画に対応した字幕のＯＳＤ画像である構成としてもよい。
【００１７】
また、ＯＳＤ画像の描画に用いられる第１描画領域および第２描画領域、が割り当てられたメモリを備え、第１描画領域に描画されたＯＳＤ画像を前記主コンテンツに重畳させることにより、前記ディスプレイに表示させる情報を生成し、第２描画領域に描画されたＯＳＤ画像を前記主コンテンツに重畳させることにより、前記コンテンツ情報を生成する上記構成の情報送信装置において、第１描画領域における字幕非描画領域と第２描画領域における字幕非描画領域は、少なくとも一部が共通化されている構成としてもよい。本構成によれば、双方の字幕非描画領域が共通化される分だけ、ＯＳＤ画像描画のためのメモリ使用量を削減することが可能となる。
【００１８】
また上記構成としてより具体的には、前記共通化されている領域において、所定情報を示すＯＳＤ画像を描画する構成としてもよい。本構成によれば、所定情報（例えばチャンネル番号や番組情報等）を、情報送信装置と表示装置の両方に効率良く表示させることが可能となる。
【００１９】
また本発明に係る情報送信方法は、コンテンツを表示する表示装置へ情報を送信する情報送信方法であって、主コンテンツと副コンテンツを含む情報を受信する第１処理と、前記表示装置における前記副コンテンツの表示に関する設定情報を、取得して保持する第２処理と、保持されている前記設定情報に基づき、前記主コンテンツを含むコンテンツ情報に前記副コンテンツを含ませるか否かを決める第３処理と、前記コンテンツ情報を前記表示装置へ送信する第４処理と、を含む方法とする。本方法によれば、利便性を落とさずに、副コンテンツのニーズの違い等による問題を解消させることが可能となる。
【００２０】
また上記の情報送信方法としてより具体的には、前記設定情報は、前記表示装置における前記副コンテンツの表示のオン／オフ設定を表す情報であり、前記第３処理は、前記表示装置が接続されたときに予め保持されている前記設定情報を参照し、前記コンテンツ情報にオン設定である前記副コンテンツを含ませて、オフ設定である前記副コンテンツを含ませないようにする処理である方法としてもよい。
【発明の効果】
【００２１】
本発明に係る情報送信装置および情報送信方法によれば、利便性を落とさずに、副コンテンツのニーズの違い等による問題を解消させることが可能となる。
【図面の簡単な説明】
【００２２】
【図１】本実施形態に係る機器システムの概略を示す説明図である。
【図２】本実施形態に係るメイン表示装置のブロック図である。
【図３】字幕設定情報に関する説明図である。
【図４】本実施形態に係るサブ表示装置のブロック図である。
【図５】第１実施形態のミラーリング表示に関する動作のフローチャートである。
【図６】字幕設定メニュー画面に関する説明図である。
【図７】ミラーリング表示が行われた状態に関する説明図である。
【図８】描画領域の共通化に関する説明図である。
【図９】描画領域の共通化に関する説明図である。
【図１０】描画領域の共通化に関する説明図である。
【図１１】共通のＯＳＤ画像を表示させた状態に関する説明図である。
【図１２】第２実施形態のミラーリング表示に関する動作のフローチャートである。
【図１３】第３実施形態のミラーリング表示に関する動作のフローチャートである。
【発明を実施するための形態】
【００２３】
本発明の実施形態について、第１から第３の各実施形態を例に挙げ、各図面を参照しながら以下に説明する。
【００２４】
１．第１実施形態
［機器システムの構成等］
図１は、本実施形態に係る機器システムの概略を示す説明図である。本図に示すように当該機器システムには、メイン表示装置１と複数個のサブ表示装置３が含まれる。なおメイン表示装置１の具体例としてはテレビ放送受像機などが該当し、サブ表示装置３の具体例としてはタブレット型端末などが該当する。
【００２５】
メイン表示装置１とサブ表示装置３は互いに独立した機器であり、それぞれ単独で利用することが可能である。そして更に映像表示機器１と何れか任意のサブ表示装置３は、互いに接続されて通信可能な状態となることにより、連携した動作を行うことも可能である。この連携した動作には、例えばWi-Fi Miracastによる、ミラーリング表示のための動作が含まれる。
【００２６】
またサブ表示装置３の各々は、互いに異なるＭＡＣ［Media Access Control］アドレスを有する。そのためメイン表示装置１は、例えば接続処理において接続先からＭＡＣアドレスを取得することにより、どのサブ表示装置３に接続されたかを認識することが可能である。またメイン表示装置１は、サブ表示装置３ごとのＭＡＣアドレスの違いを利用して、各種設定情報など（後述の字幕設定情報Ｉｓを含む）をサブ表示装置３ごとに別々に記録することが可能である。
【００２７】
次にメイン表示装置１について説明する。図２は、メイン表示装置１の構成に関するブロック図である。本図に示すようにメイン表示装置１は、信号受信部１１、デコード部１２、画像処理部１３、ＯＳＤ描画部１４、第１ＯＳＤ重畳部１５、第２ＯＳＤ重畳部１６、ディスプレイ１７、エンコード部１８、通信部１９、受信情報解析部２０、設定情報保持部２１、操作部２２、および制御部２３などを備えている。
【００２８】
信号受信部１１は、主コンテンツ（動画）および副コンテンツ（当該動画に対応した字幕のＯＳＤ画像）が多重化された信号を受信し、デコード部１２へ送出する。この信号は、テレビ放送の信号であっても良く、所定のコンテンツサーバからネットワークを介して送られるストリーム信号等であっても良い。
【００２９】
上述した動画は、例えば映画作品の動画である。また上述した字幕は、例えば、当該動画の内容説明や登場人物のセリフ等を、そのまま或いは翻訳して文字表記したものに該当する。なお上述した信号には副コンテンツとして、英語（ＥＮＧ）の字幕のＯＳＤ画像、日本語（ＪＰＮ）の字幕のＯＳＤ画像、およびフランス語（ＦＲＥ）の字幕のＯＳＤ画像が含まれているとする。
【００３０】
デコード部１２は、信号受信部１１から受ける信号に対して所定のデコード処理を施し、主コンテンツおよび副コンテンツの情報を得る。デコード部１２は、主コンテンツの情報を画像処理部１３へ送出し、副コンテンツの情報をＯＳＤ描画部１４へ送出する。
【００３１】
画像処理部１３は、デコード部１２から受ける主コンテンツの情報に所定の画像処理を施し、処理済みの主コンテンツの情報を、第１ＯＳＤ重畳部１５および第２ＯＳＤ重畳部１６に送出する。
【００３２】
ＯＳＤ描画部１４は、メモリにＯＳＤ画像を描画（展開）する。ＯＳＤ描画部１４は、ＯＳＤ画像を描画するメモリ領域として、第１描画領域ＧＲ１および第２描画領域ＧＲ２を有している。第１描画領域ＧＲ１は、メイン表示装置１側に表示させるためのＯＳＤ画像が描画されるメモリ領域であり、第２描画領域ＧＲ２は、サブ表示装置３側に表示させるためのＯＳＤ画像が描画されるメモリ領域である。
【００３３】
なお先述した通り、ＯＳＤ描画部１４には、デコード部１２から副コンテンツのＯＳＤ画像が送出される。すなわちＯＳＤ描画部１４には、英語（ＥＮＧ）の字幕のＯＳＤ画像、日本語（ＪＰＮ）の字幕のＯＳＤ画像、およびフランス語（ＦＲＥ）の字幕のＯＳＤ画像が送出される。
【００３４】
ＯＳＤ描画部１４は、設定情報保持部２１が記録保持している字幕設定情報Ｉｓに従って、何れの字幕のＯＳＤ画像を第２描画領域ＧＲ２に描画するか（どの字幕のＯＳＤ画像も描画しないことを含む）を決定する。
【００３５】
なお字幕設定情報Ｉｓは、図３に示すように、サブ表示装置３に何れの字幕を表示させるか（どの字幕も表示させないことを含む）の設定内容を表す情報である。なお設定情報保持部２１は、サブ表示装置３ごとに（すなわちＭＡＣアドレスごとに）、字幕設定情報Ｉｓを別々に記録保持するようになっている。字幕設定情報Ｉｓの取得方法等については、後述する説明により明らかとなる。
【００３６】
図３に示す例によれば、ＭＡＣアドレスが「aaaaaaaa」のサブ表示装置３については、英語「ＥＮＧ」の字幕を表示させる設定となっている。この場合にＯＳＤ描画部１４は、ＭＡＣアドレスが「aaaaaaaa」のサブ表示装置３が接続されているときには、英語の字幕のＯＳＤ画像を第２描画領域ＧＲ２に描画する。
【００３７】
また図３に示す例によれば、ＭＡＣアドレスが「bbbbbbbb」のサブ表示装置３については、日本語「ＪＰＮ」の字幕を表示させる設定となっている。この場合にＯＳＤ描画部１４は、ＭＡＣアドレスが「bbbbbbbb」のサブ表示装置３が接続されているときには、日本語の字幕のＯＳＤ画像を第２描画領域ＧＲ２に描画する。
【００３８】
また図３に示す例によれば、ＭＡＣアドレスが「cccccccc」のサブ表示装置３については、どの字幕も表示させない「ＯＦＦ」の設定となっている。この場合にＯＳＤ描画部１４は、ＭＡＣアドレスが「cccccccc」のサブ表示装置３が接続されているときには、どの字幕のＯＳＤ画像も第２描画領域ＧＲ２に描画しない。
【００３９】
またＯＳＤ描画部１４は、通常の設定では、何れの字幕のＯＳＤ画像も第１描画領域ＧＲ１には描画しない。この設定によれば、サブ表示装置３にだけ字幕を表示させ、メイン表示装置１には字幕を表示させないようにすることが可能である。但し、第１描画領域ＧＲ１にも何れかの字幕のＯＳＤ画像が描画されるようにし、メイン表示装置１に当該字幕が表示されるようにしても良い。
【００４０】
なおＯＳＤ画像の情報には、例えば、ＯＳＤ画像の各ドットがキャラクタ部分であるか背景部分であるかを示すパターンデータ、および、ＯＳＤ画像のキャラクタ部分と背景部分との色を指定する着色用データが含まれている。
【００４１】
またメモリへのＯＳＤ画像の描画では、例えば、このパターンデータおよび着色用データに基づいて、着目中のドットがキャラクタ部分であるか背景部分であるかが認識されるとともに、キャラクタ部分または背景部分としてそれぞれ指定されている色が認識される。そしてキャラクタ部分についてはキャラクタ部分として指定されている色のデータが、背景部分については背景部分として指定されている色のデータが、着目中のドットに対応するメモリ上の領域にそれぞれ格納されることにより、メモリへのＯＳＤ画像の描画が達成される。
【００４２】
第１ＯＳＤ重畳部１５は、第１描画領域ＧＲ１に描画されたＯＳＤ画像を主コンテンツの各フレームに重畳させ、メイン表示装置１側に表示させるための動画を生成する。第１ＯＳＤ重畳部１５は、当該動画のフレームが生成されるメモリ領域として、第１フレーム生成領域ＦＲ１を有している。
【００４３】
第１ＯＳＤ重畳部１５は、画像処理部１３から主コンテンツの情報を継続的に受取り、
主コンテンツの最新のフレームを、第１フレーム生成領域ＦＲ１に逐次描画する。また第１ＯＳＤ重畳部１５は、第１描画領域ＧＲ１に描画されたＯＳＤ画像の情報を継続的に受取り、その最新のＯＳＤ画像を、第１フレーム生成領域ＦＲ１に描画された主コンテンツのフレームに逐次重畳させる。これにより第１フレーム生成領域ＦＲ１には、メイン表示装置１側に表示させるための動画のフレームが逐次生成される。
【００４４】
第２ＯＳＤ重畳部１６は、第２描画領域ＧＲ２に描画されたＯＳＤ画像を主コンテンツの各フレームに重畳させ、サブ表示装置３側に表示させるための動画を生成する。第２ＯＳＤ重畳部１６は、当該動画のフレームが生成されるメモリ領域として、第２フレーム生成領域ＦＲ２を有している。
【００４５】
第２ＯＳＤ重畳部１６は、画像処理部１３から主コンテンツの情報を継続的に受取り、
主コンテンツの最新のフレームを、第２フレーム生成領域ＦＲ２に逐次描画する。また第２ＯＳＤ重畳部１６は、第２描画領域ＧＲ２に描画されたＯＳＤ画像の情報を継続的に受取り、その最新のＯＳＤ画像を、第２フレーム生成領域ＦＲ２に描画された主コンテンツのフレームに逐次重畳させる。これにより第２フレーム生成領域ＦＲ２には、サブ表示装置３側に表示させるための動画のフレームが逐次生成される。
【００４６】
ディスプレイ１７は、メイン表示装置１側に設けられた画像表示手段であり、第１フレーム生成領域ＦＲ１に生成された最新のフレームを表示させる。これによりディスプレイ１７には、ＯＳＤ画像（第１描画領域ＧＲ１に描画されたＯＳＤ画像）が重畳された主コンテンツの動画が表示される。
【００４７】
エンコード部１８は、第２フレーム生成領域ＦＲ２に生成された最新のフレームの情報を逐次受取り、当該情報（「コンテンツ情報」と称する）に対して所定のエンコード処理を施す。エンコード部１８は、当該処理済みのコンテンツ情報を、通信部１９へ送出する。なおこのコンテンツ情報は、ＯＳＤ画像（第２描画領域ＧＲ２に描画されたＯＳＤ画像）が重畳された主コンテンツの動画の情報となっている。
【００４８】
通信部１９は、サブ表示装置３に接続されている状態（所定の接続処理を経て、無線通信が可能となっている状態）において、サブ表示装置３との無線通信を実行する。なおメイン表示装置１は、サブ表示装置３との接続が解除されても、サブ表示装置３との接続処理が行われる度に再接続され、接続されている状態を回復させることが可能である。
【００４９】
通信部１９は、エンコード部１８からコンテンツ情報を受取ったときには、このコンテンツ情報をサブ表示装置３へ送信する。なお通信部１９は、無線通信の代わりに有線通信が実行可能であっても良く、無線通信と有線通信の何れもが実行可能であっても良い。また通信部１９は、サブ表示装置３以外の機器に対しても、通信が可能であっても良い。
【００５０】
受信情報解析部２０は、サブ表示装置３から受信する各種情報を解析する。受信情報解析部２０が行う動作には、サブ表示装置３から受信する操作情報を解析し、字幕設定情報Ｉｓを取得する動作が含まれる。受信情報解析部２０は、取得した字幕設定情報Ｉｓを設定情報保持部２１に送出する。
【００５１】
設定情報保持部２１は情報記録用のメモリを有しており、既に説明した通り、サブ表示装置３ごとに字幕設定情報Ｉｓを記録保持する。なお設定情報保持部２１に保持された字幕設定情報Ｉｓは、その後にサブ表示装置３との接続が解除されたり再接続がなされたりしても、そのまま保持される。
【００５２】
操作部２２は、例えば、メイン表示装置１本体に設けられた操作スイッチ、或いはリモートコントロール装置であり、ユーザに操作される。操作部２２において操作がなされると、当該操作の情報がユーザの意図を反映した情報として、制御部２３に伝えられる。制御部２３は、メイン表示装置１が適切に動作するように、メイン表示装置１の各部を制御する。
【００５３】
次にサブ表示装置３について説明する。図４は、サブ表示装置３の構成に関するブロック図である。本図に示すようにサブ表示装置３は、通信部３１、デコード部３２、画像処理部３３、ディスプレイ３４、操作部３５、および制御部３６などを備えている。
【００５４】
通信部３１は、メイン表示装置１に接続されている状態において、メイン表示装置１との無線通信を実行する。通信部３１は、メイン表示装置１からコンテンツ情報を受信したときには、このコンテンツ情報をデコード部３２へ送出する。
【００５５】
デコード部３２は、通信部３１から受けるコンテンツ情報に対して所定のデコード処理を施し、メイン表示装置１側で施されていたエンコード処理を解除する。当該デコード処理が施されたコンテンツ情報は、画像処理部３３へ送出される。
【００５６】
画像処理部３３は、デコード部３２から受けるコンテンツ情報に所定の画像処理を施し、処理済みの情報をディスプレイ３４へ送出する。ディスプレイ３４は、サブ表示装置３側に設けられた画像表示手段であり、画像処理部３３から受けるコンテンツ情報の動画を表示させる。これによりディスプレイ３４には、ＯＳＤ画像（第２描画領域ＧＲ２に描画されたＯＳＤ画像）が重畳された主コンテンツの動画が表示される。
【００５７】
操作部３５は、例えば、サブ表示装置３本体に設けられた操作スイッチ、或いはディスプレイ３４に設けられたタッチパネルであり、ユーザに操作される。操作部３５において操作がなされると、当該操作の情報がユーザの意図を反映した情報として、制御部３６に伝えられる。制御部３６は、サブ表示装置３が適切に動作するように、サブ表示装置３の各部を制御する。
【００５８】
［ミラーリング表示に関する動作］
メイン表示装置１は、先述した主コンテンツおよび副コンテンツが多重化された信号を受信し、ディスプレイ１７に動画を表示させることが可能である。そして更にメイン表示装置１は、この動画をサブ表示装置３にミラーリング表示させることが可能である。メイン表示装置１が行う当該ミラーリング表示に関する動作について、図５に示すフローチャートを参照しながら以下に説明する。
【００５９】
メイン表示装置１は、サブ表示装置３との接続指示（所定の操作）を待機する（ステップＳ１）。このときユーザは、ミラーリング表示を行わせたいサブ表示装置３との接続が行われるように、メイン表示装置１に対して当該接続指示を行うことが可能である。
【００６０】
当該接続指示がなされると（ステップＳ１のＹ）、メイン表示装置１は、サブ表示装置３と相互に接続処理を実行する（ステップＳ２）。この接続処理の実行中において、メイン表示装置１は、サブ表示装置３からＭＡＣアドレスを受信し、どのサブ表示装置３に接続されるかを認識する。
【００６１】
次にメイン表示装置１は、今回接続されたサブ表示装置３について、過去の接続実績の有無を判別する（ステップＳ３）。なお接続実績があれば、設定情報保持部２１に、そのサブ表示装置３についての字幕設定情報Ｉｓが保持されているはずである。そこでメイン表示装置１は、今回接続されたサブ表示装置３についての字幕設定情報Ｉｓが保持されていれば、接続実績有りと判別し、保持されていなければ接続実績無しと判別する。
【００６２】
接続実績無しと判別した場合には（ステップＳ３のＮ）、メイン表示装置１は、今回接続されたサブ表示装置３についての字幕設定情報Ｉｓを取得して保持するための動作（ステップＳ４〜Ｓ９）を開始する。より具体的には、以下に説明する通りである。
【００６３】
まずメイン表示装置１は、サブ表示装置３への字幕設定メニュー画面の情報送信を開始する（ステップＳ４）。これによりサブ表示装置３は、ディスプレイ３４に字幕設定メニュー画面を表示させることになる。
【００６４】
図６は、ディスプレイ３４に字幕設定メニュー画面が表示された状態を例示している。図６に示す字幕設定メニュー画面は、「ＯＦＦ」、「ＥＮＧ」、「ＪＰＮ」、および「ＦＲＥ」の各選択肢を示しており、何れか一つの選択肢の選択操作（字幕設定情報の入力操作）をユーザに促す画面となっている。この選択操作は、例えば、所望の選択肢の表示箇所をタッチする操作（タッチパネルの操作）が該当する。
【００６５】
なお「ＯＦＦ」の選択肢は、どの字幕も表示させない設定を表している。また「ＥＮＧ」の選択肢は、英語の字幕を表示させる設定を表しており、「ＪＰＮ」の選択肢は、日本語の字幕を表示させる設定を表しており、「ＦＲＥ」の選択肢は、フランス語の字幕を表示させる設定を表している。またサブ表示装置３は、操作部３５において選択操作がなされると、この選択操作の情報をメイン制御装置１へ送信するようになっている。
【００６６】
字幕設定メニュー画面の情報送信を開始した後、メイン表示装置１は、当該選択操作の情報受信を待機する（ステップＳ５）。選択操作の情報を受信すると（ステップＳ５のＹ）、メイン表示装置１は、この選択操作に応じた字幕設定情報Ｉｓを保持する（ステップＳ７）。
【００６７】
より具体的に説明すると受信情報解析部２０は、選択操作の情報を解析し、字幕設定情報Ｉｓを取得する。すなわち受信情報解析部２０は、選択操作の情報に基づいてどの選択肢が選択操作されたかを判別し、その選択肢に対応した字幕設定情報Ｉｓを取得する。この取得された字幕設定情報Ｉｓは、今回接続されたサブ表示装置３のＭＡＣアドレスに関連付けられた状態で、設定情報保持部２１に記録保持される。
【００６８】
但し字幕設定メニュー画面の情報送信を開始した後、選択操作の情報受信が無いまま一定時間（タイムアウト時間）が経過した場合には（ステップＳ６のＹ）、メイン表示装置１は、デフォルト値の字幕設定情報Ｉｓ（例えば、「ＯＦＦ」設定の字幕設定情報Ｉｓ）を保持する（ステップＳ８）。この場合には、デフォルト値の字幕設定情報Ｉｓが、今回接続されたサブ表示装置３のＭＡＣアドレスに関連付けられた状態で、設定情報保持部２１に記録保持される。
【００６９】
ステップＳ７またはＳ８の処理により、今回接続されたサブ表示装置３についての字幕設定情報Ｉｓが新たに保持されると、メイン表示装置１は、字幕設定メニュー画面の情報送信を停止する（ステップＳ９）。また字幕設定情報Ｉｓが新たに保持されたことにより、ＯＳＤ描画部１４はこの字幕設定情報Ｉｓに従って、字幕のＯＳＤ画像を第２描画領域ＧＲ２に描画する（或いはどの字幕のＯＳＤ画像も描画しない）。これによりメイン表示装置１は、以降、この字幕設定情報Ｉｓに応じた字幕を付加した（或いはどの字幕も付加していない）コンテンツ情報を、サブ表示装置３へ送信することになる（ステップＳ１０）。
【００７０】
一方、ステップＳ３の処理で接続実績有りと判別された場合には（ステップＳ３のＹ）、今回接続されたサブ表示装置３についての字幕設定情報Ｉｓは、既に設定情報保持部２１に保持されている。ＯＳＤ描画部１４はこの字幕設定情報Ｉｓに従って、字幕のＯＳＤ画像を第２描画領域ＧＲ２に描画する（或いはどの字幕のＯＳＤ画像も描画しない）。これによりメイン表示装置１は、以降、この字幕設定情報Ｉｓに応じた字幕を付加した（或いはどの字幕も付加していない）コンテンツ情報を、サブ表示装置３へ送信することになる（ステップＳ１０）。
【００７１】
送信されたコンテンツ情報はサブ表示装置３によって受信され、このコンテンツ情報の動画が、ディスプレイ３４にリアルタイムに表示される。これにより、主コンテンツの動画のミラーリング表示が実現される。またメイン表示装置１は、自機のディスプレイ１７には字幕無しの動画を表示させるようにしつつ、字幕付きの動画のコンテンツ情報をサブ表示装置３に送信すること可能である。
【００７２】
そのため本実施形態の機器システムによれば、図７に示すように、メイン表示装置１側のディスプレイ１７には字幕無しの動画を表示させ、サブ表示装置３側のディスプレイ３４には字幕付きの動画を表示させることが可能である。これにより、字幕の必要な視聴者と不要な視聴者の何れにとっても、動画を快適に視聴することが可能となる。すなわち字幕（副コンテンツ）のニーズの違いによる問題を解消させることが可能となる。
【００７３】
またメイン表示装置１は、初回接続時に字幕設定情報Ｉｓを取得して保持すると、以降の接続時には、既に保持されている字幕設定情報Ｉｓを用いて、サブ表示装置３に適切に字幕を表示させることが出来る。
【００７４】
また第１実施形態では、ユーザは、サブ表示装置３から字幕設定情報Ｉｓの入力操作（選択操作）を行うことが出来る。そして更に第１実施形態では、メイン表示装置１に字幕設定情報Ｉｓを取得させるにあたり、サブ表示装置３には、受信した画像（字幕設定メニュー画面）を表示させる機能や、操作情報（選択操作の情報）を送信する機能といった簡易な機能が求められるに過ぎない。
【００７５】
これによりサブ表示装置３には、メイン表示装置１へ接続される度に字幕設定メニュー画面を表示して選択操作を受付ける機能や、選択された設定内容を認識してメイン表示装置１へ通知するための機能等を有する必要はない。そのため、これらの機能を提供する専用アプリをサブ表示装置３へ予めインストールしておくこと等は不要であり、ユーザ等の作業負担増大による利便性の低下は回避される。またサブ表示装置３は、上述したような簡易な機能が求められるに過ぎないため、サブ表示装置３として利用できる機種が大きく制限されるという問題も回避される。
【００７６】
［描画領域の共通化］
先述した通りＯＳＤ描画部１４は、ＯＳＤ画像を描画するメモリ領域として、第１描画領域ＧＲ１（ディスプレイ１７に対応する仮想メモリ）および第２描画領域ＧＲ２（ディスプレイ３４に対応する仮想メモリ）を有している。また第１描画領域ＧＲ１の外縁は、ディスプレイ１７の表示領域の外縁に対応しており、第２描画領域ＧＲ２の外縁は、ディスプレイ３４の表示領域の外縁に対応している。つまり第１描画領域ＧＲ１のサイズは、ディスプレイ１７のサイズと共通であり、第２描画領域ＧＲ２のサイズは、ディスプレイ３４のサイズと共通である。
【００７７】
ところで字幕の画面表示に関しては、字幕を安全に表示する（表示位置があまりに画面の端に近くなることを防ぐ）ための規定が存在する。この規定によれば、画面の外縁から所定幅に含まれる領域は、字幕を表示してはならない領域（字幕非表示領域）であり、字幕非表示領域の内側は、字幕を表示しても良い領域（字幕表示可能領域）である。
【００７８】
これに対応するため、第１描画領域ＧＲ１と第２描画領域ＧＲ２については、図８の上側（或いは、図９の左側）に示すように、字幕表示可能領域に対応した字幕描画可能領域と、字幕非表示領域に対応した字幕非描画領域が設定されている。字幕描画可能領域は、字幕の描画が許容される（字幕部分のドットを含むことが許容される）領域であり、字幕非描画領域は、字幕の描画が許容されない（字幕部分のドットを含むことが許容されない）領域である。字幕の描画が字幕描画可能領域に限られることにより、画面（ディスプレイ１７やディスプレイ３４）の字幕非表示領域に字幕が表示されることは回避される。
【００７９】
メイン表示装置１において、第１描画領域ＧＲ１における字幕非描画領域と、第２描画領域ＧＲ２における字幕非描画領域は、一部が共通化されていても良い。このようにすれば、共通化される分だけ、ＯＳＤ画像描画のためのメモリ使用量を削減することが可能となる。
【００８０】
図８は、第１描画領域ＧＲ１における右側の字幕非描画領域と、第２描画領域ＧＲ２における左側の字幕非描画領域が、共通化によって共有領域（第１描画領域ＧＲ１と第２描画領域ＧＲ２の何れにも属する領域）とされた例を示している。また図９は、第１描画領域ＧＲ１における下側の字幕非描画領域と、第２描画領域ＧＲ２における上側の字幕非描画領域が、共通化によって共有領域とされた例を示している。なお何れの例においても、共有領域は字幕が描画されない領域であるため、各ディスプレイ（１７、３４）の字幕表示に影響が及ぶことはない。
【００８１】
またメイン表示装置１は、ミラーリング表示時に各ディスプレイ（１７、３４）の字幕表示領域が制限される製品仕様とされ、共有領域を広くすることでメモリ使用量がより削減されるようにしても良い。図１０は、このようにした場合の第１描画領域ＧＲ１および第２描画領域ＧＲ２の形態を例示している。
【００８２】
図１０に示す例では、メイン表示装置１の単体表示時（ミラーリング表示が行われていない時）には、第１描画領域ＧＲ１は通常の形態である。そしてミラーリング表示時には、第２描画領域ＧＲ２が必要となるため、第２描画領域ＧＲ２の割当てが行われる。このとき、第１描画領域ＧＲ１の字幕非描画領域だけではなく、字幕描画可能領域の一部も共有領域となるように、第２描画領域ＧＲ２の割当てが行われる。
【００８３】
なお共有領域は、第１描画領域ＧＲ１と第２描画領域ＧＲ２の何れにおいても字幕非描画領域に相当する。しかしこの共有領域には、字幕以外の情報（特にチャンネル番号や番組情報等のように、メイン表示装置１とサブ表示装置３に共通に表示させるべき情報）のＯＳＤ画像を描画することは可能である。
【００８４】
そこでメイン表示装置１は、図１０に示すように、共有領域にこのような情報（図１０に示す例では、「ＣＨ１０−６５」という文字）のＯＳＤ画像を描画するようにしても良い。このようにすれば、図１１に示すように、メイン表示装置１とサブ表示装置３の両方に、当該情報を効率良く表示させることが可能となる。
【００８５】
２．第２実施形態
次に第２実施形態について説明する。なお第２実施形態は、ミラーリング表示に関する動作を除き、基本的には第１実施形態と同様である。以下の説明では、第１実施形態と異なる部分の説明に重点をおき、共通する部分については説明を省略することがある。
【００８６】
第２実施形態のメイン表示装置１が行うミラーリング表示に関する動作について、図１２に示すフローチャートを参照しながら以下に説明する。
【００８７】
メイン表示装置１は、サブ表示装置３との接続指示を待機する（ステップＳ１１）。当該接続指示がなされると（ステップＳ１１のＹ）、メイン表示装置１は、サブ表示装置３と相互に接続処理を実行する（ステップＳ１２）。この接続処理の実行中において、メイン表示装置１は、サブ表示装置３からＭＡＣアドレスを受信し、どのサブ表示装置３に接続されるかを認識する。
【００８８】
次にメイン表示装置１は、今回接続されたサブ表示装置３について、過去の接続実績の有無を判別する（ステップＳ１３）。接続実績無しと判別した場合には（ステップＳ１３のＮ）、メイン表示装置１は、今回接続されたサブ表示装置３についての字幕設定情報Ｉｓを取得して保持するための動作（ステップＳ１４〜Ｓ１９）を開始する。より具体的には、以下に説明する通りである。
【００８９】
まずメイン表示装置１は、ディスプレイ１７に字幕設定メニュー画面を表示させる（ステップＳ１４）。なお字幕設定メニュー画面は、基本的に第１実施形態の場合と同等の内容であり（図６を参照）、「ＯＦＦ」、「ＥＮＧ」、「ＪＰＮ」、および「ＦＲＥ」の各選択肢が示されている。メイン表示装置１は、字幕設定メニュー画面を表示させた状態で、操作部２２における何れか一つの選択肢の選択操作を待機する（ステップＳ１５）。
【００９０】
選択操作がなされると（ステップＳ１５のＹ）、メイン表示装置１は、この選択操作に応じた字幕設定情報Ｉｓを保持する（ステップＳ１７）。すなわちメイン表示装置１は、選択された選択肢に対応する字幕設定情報Ｉｓを、今回接続されたサブ表示装置３のＭＡＣアドレスに関連付けた状態で、設定情報保持部２１に記録保持させる。
【００９１】
但し字幕設定メニュー画面を表示させてから、選択操作が行われないまま一定時間が経過した場合には（ステップＳ１６のＹ）、メイン表示装置１は、デフォルト値の字幕設定情報Ｉｓを保持する（ステップＳ１８）。この場合には、デフォルト値の字幕設定情報Ｉｓが、今回接続されたサブ表示装置３のＭＡＣアドレスに関連付けられた状態で、設定情報保持部２１に記録保持される。
【００９２】
ステップＳ１７またはＳ１８の処理により、今回接続されたサブ表示装置３についての字幕設定情報Ｉｓが新たに保持されると、メイン表示装置１は、字幕設定メニュー画面の表示を停止する（ステップＳ１９）。字幕設定情報Ｉｓが新たに保持されたことにより、ＯＳＤ描画部１４はこの字幕設定情報Ｉｓに従って、字幕のＯＳＤ画像を第２描画領域ＧＲ２に描画する（或いはどの字幕のＯＳＤ画像も描画しない）。これによりメイン表示装置１は、以降、この字幕設定情報Ｉｓに応じた字幕を付加した（或いはどの字幕も付加していない）コンテンツ情報を、サブ表示装置３へ送信することになる（ステップＳ２０）。
【００９３】
一方、ステップＳ１３の処理で接続実績有りと判別された場合には（ステップＳ１３のＹ）、今回接続されたサブ表示装置３についての字幕設定情報Ｉｓは、既に設定情報保持部２１に保持されている。ＯＳＤ描画部１４はこの字幕設定情報Ｉｓに従って、字幕のＯＳＤ画像を第２描画領域ＧＲ２に描画する（或いはどの字幕のＯＳＤ画像も描画しない）。これによりメイン表示装置１は、以降、この字幕設定情報Ｉｓに応じた字幕を付加した（或いはどの字幕も付加していない）コンテンツ情報を、サブ表示装置３へ送信することになる（ステップＳ２０）。
【００９４】
上述した一連の動作を行う第２実施形態のメイン表示装置１によれば、第１実施形態の場合と同様に、自機のディスプレイ１７には字幕無しの動画を表示させるようにしつつ、字幕付きの動画のコンテンツ情報をサブ表示装置３に送信すること可能である。これにより、字幕の必要な視聴者と不要な視聴者の何れにとっても、動画を快適に視聴することが可能となる。
【００９５】
また第２実施形態では、ユーザは、メイン表示装置１から字幕設定情報Ｉｓの入力操作（選択操作）を行うことが出来る。そして更に第２実施形態によれば、メイン表示装置１の側において、字幕設定メニュー画面の表示および選択操作の受付を行い、字幕設定情報Ｉｓを取得するようになっている。そのためサブ表示装置３においては、字幕設定メニュー画面を受信して表示させる機能や、選択操作の情報を送信する機能についても不要となる。これにより、サブ表示装置３に求められる機能をより簡略化させることが可能である。
【００９６】
なお第２実施形態においても第１実施形態の場合と同様に、専用アプリをサブ表示装置３へ予めインストールしておくこと等は不要であり、ユーザ等の作業負担増大による利便性の低下は回避される。また第２実施形態においても第１実施形態の場合と同様に、サブ表示装置３として利用できる機種が大きく制限されるという問題は回避される。
【００９７】
３．第３実施形態
次に第３実施形態について説明する。なお第３実施形態は、ミラーリング表示に関する動作を除き、基本的には第１実施形態と同様である。以下の説明では、第１実施形態と異なる部分の説明に重点をおき、共通する部分については説明を省略することがある。
【００９８】
第３実施形態のメイン表示装置１が行うミラーリング表示に関する動作について、図１３に示すフローチャートを参照しながら以下に説明する。
【００９９】
メイン表示装置１は、サブ表示装置３との接続指示を待機する（ステップＳ２１）。当該接続指示がなされると（ステップＳ２１のＹ）、メイン表示装置１は、サブ表示装置３と相互に接続処理を実行する（ステップＳ２２）。この接続処理の実行中において、メイン表示装置１は、サブ表示装置３からＭＡＣアドレスを受信し、どのサブ表示装置３に接続されるかを認識する。
【０１００】
次にメイン表示装置１は、今回接続されたサブ表示装置３について、過去の接続実績の有無を判別する（ステップＳ２３）。接続実績無しと判別した場合には（ステップＳ２３のＮ）、メイン表示装置１は、今回接続されたサブ表示装置３についての字幕設定情報Ｉｓを取得して保持するための動作（ステップＳ２４〜Ｓ３０）を開始する。より具体的には、以下に説明する通りである。
【０１０１】
まずメイン表示装置１は、ディスプレイ１７に字幕設定メニュー画面を表示させるとともに、サブ表示装置３への字幕設定メニュー画面の情報送信を開始する（ステップＳ２４）。これによりサブ表示装置３は、ディスプレイ３４に字幕設定メニュー画面を表示させることになる。字幕設定メニュー画面は、基本的に第１実施形態の場合と同等の内容であり（図６を参照）、「ＯＦＦ」、「ＥＮＧ」、「ＪＰＮ」、および「ＦＲＥ」の各選択肢が示されている。サブ表示装置３は、操作部３５において何れか一つの選択肢の選択操作がなされると、この選択操作の情報をメイン制御装置１へ送信する。
【０１０２】
またメイン表示装置１は、自機の操作部２２における何れか一つの選択肢の選択操作を待機するとともに（ステップＳ２５）、サブ表示装置３からの選択操作の情報受信を待機する（ステップＳ２６）。メイン表示装置１は、操作部２２における選択操作が有った場合（ステップＳ２５のＹ）、または、サブ表示装置３からの選択操作の情報受信が有った場合（ステップＳ２６のＹ）には、その選択操作に応じた字幕設定情報Ｉｓを保持する（ステップＳ２８）。すなわちメイン表示装置１は、選択された選択肢に対応する字幕設定情報Ｉｓを、今回接続されたサブ表示装置３のＭＡＣアドレスに関連付けた状態で、設定情報保持部２１に記録保持させる。
【０１０３】
但し、操作部２２での選択操作およびサブ表示装置３からの情報受信の何れもが行われないまま、一定時間が経過した場合には（ステップＳ２７のＹ）、メイン表示装置１は、デフォルト値の字幕設定情報Ｉｓを保持する（ステップＳ２９）。この場合には、デフォルト値の字幕設定情報Ｉｓが、今回接続されたサブ表示装置３のＭＡＣアドレスに関連付けられた状態で、設定情報保持部２１に記録保持される。
【０１０４】
ステップＳ２８またはＳ２９の処理により、今回接続されたサブ表示装置３についての字幕設定情報Ｉｓが新たに保持されると、メイン表示装置１は、字幕設定メニュー画面の表示および情報送信を停止する（ステップＳ３０）。字幕設定情報Ｉｓが新たに保持されたことにより、ＯＳＤ描画部１４はこの字幕設定情報Ｉｓに従って、字幕のＯＳＤ画像を第２描画領域ＧＲ２に描画する（或いはどの字幕のＯＳＤ画像も描画しない）。これによりメイン表示装置１は、以降、この字幕設定情報Ｉｓに応じた字幕を付加した（或いはどの字幕も付加していない）コンテンツ情報を、サブ表示装置３へ送信することになる（ステップＳ３１）。
【０１０５】
一方、ステップＳ２３の処理で接続実績有りと判別された場合には（ステップＳ２３のＹ）、今回接続されたサブ表示装置３についての字幕設定情報Ｉｓは、既に設定情報保持部２１に保持されている。ＯＳＤ描画部１４はこの字幕設定情報Ｉｓに従って、字幕のＯＳＤ画像を第２描画領域ＧＲ２に描画する（或いはどの字幕のＯＳＤ画像も描画しない）。これによりメイン表示装置１は、以降、この字幕設定情報Ｉｓに応じた字幕を付加した（或いはどの字幕も付加していない）コンテンツ情報を、サブ表示装置３へ送信することになる（ステップＳ３１）。
【０１０６】
上述した一連の動作を行う第３実施形態のメイン表示装置１によれば、第１実施形態の場合と同様に、自機のディスプレイ１７には字幕無しの動画を表示させるようにしつつ、字幕付きの動画のコンテンツ情報をサブ表示装置３に送信すること可能である。これにより、字幕の必要な視聴者と不要な視聴者の何れにとっても、動画を快適に視聴することが可能となる。
【０１０７】
また第３実施形態によれば、ユーザは、メイン表示装置１とサブ表示装置３の何れからも、字幕設定情報Ｉｓの入力操作（選択操作）を行うことが出来る。そのためユーザは、その時の状況に応じて、メイン表示装置１とサブ表示装置３のうちの操作し易い方から、字幕設定情報Ｉｓの入力操作を行うことが可能である。
【０１０８】
なお第３実施形態においても第１実施形態の場合と同様に、専用アプリをサブ表示装置３へ予めインストールしておくこと等は不要であり、ユーザ等の作業負担増大による利便性の低下は回避される。また第３実施形態においても第１実施形態の場合と同様に、サブ表示装置３として利用できる機種が大きく制限されるという問題は回避される。
【０１０９】
４．その他
以上に説明した通り、各実施形態のメイン表示装置１は、動画（主コンテンツ）と当該動画に対応した字幕のＯＳＤ画像（副コンテンツ）を含む情報を受信する受信部と、コンテンツを表示するサブ表示装置３が接続される接続部と、サブ表示装置３における字幕表示に関する字幕設定情報Ｉｓを、取得して保持する情報取得保持部と、動画を含むコンテンツ情報をサブ表示装置３に送信する送信部と、を備えている。
【０１１０】
また送信部は、保持されている字幕設定情報Ｉｓに基づき、コンテンツ情報に字幕を含ませるか否かを決める。これによりメイン表示装置１は、利便性を落とさずに、字幕のニーズの違い等による問題を解消させることが可能である。
【０１１１】
より具体的には、字幕設定情報Ｉｓは、サブ表示装置３における字幕表示のオン／オフ設定を表す情報である。そして送信部は、サブ表示装置３に接続されたときに予め保持されている字幕設定情報Ｉｓを参照し、コンテンツ情報にオン設定である字幕を含ませて、オフ設定である字幕を含ませないようにする。
【０１１２】
また情報取得保持部は、サブ表示装置３に接続されたときに字幕設定情報Ｉｓを保持していない場合、字幕設定情報Ｉｓを取得する動作を行う。そして情報取得保持部は、次回以降にサブ表示装置３が接続されるときに参照が可能となるように、取得した字幕設定情報Ｉｓを保持する。そのためサブ表示装置３においては、例えばメイン表示装置１へ接続される度に字幕設定情報Ｉｓを送信する等の処理が不要となり、機能の簡略化が容易となる。
【０１１３】
また各実施形態のメイン表示装置１はディスプレイ１７を備え、ディスプレイ１７に動画を表示させる。そして第２実施形態および第３実施形態のメイン表示装置１において、情報取得保持部は、操作部２２において字幕設定情報Ｉｓの入力操作を受付けることにより字幕設定情報Ｉｓを取得するものであって、当該入力操作を促す字幕設定メニュー画面を、ディスプレイ１７に表示させる。これによりユーザは、メイン表示装置１側の操作により、字幕設定情報Ｉｓを容易に入力することが可能である。
【０１１４】
また第１実施形態および第３実施形態のメイン表示装置１において、情報取得保持部は、サブ表示装置３においてなされた字幕設定情報Ｉｓの入力操作の情報を、サブ表示装置３から受信することにより字幕設定情報Ｉｓを取得する。また情報取得保持部は、サブ表示装置３における当該入力操作を促す字幕設定メニュー画面の情報を、サブ表示装置３へ送信する。これによりユーザは、サブ表示装置３側の操作により、字幕設定情報Ｉｓを容易に入力することが可能である。
【０１１５】
またメイン表示装置１は、複数のサブ表示装置３のうちの任意のものが接続されるようになっており、情報取得保持部は、サブ表示装置３ごとに字幕設定情報Ｉｓを取得して保持する。これにより、例えば複数のサブ表示装置３が適宜交代して用いられる場合であっても、字幕設定情報Ｉｓを適切に取得して保持することが可能である。
【０１１６】
なおメイン表示装置１は、所定の情報送信方法により、サブ表示装置３へコンテンツ情報を送信する。この情報送信方法は、動画（主コンテンツ）と当該動画に対応した字幕のＯＳＤ画像（副コンテンツ）を含む情報を受信する第１処理と、サブ表示装置３における字幕表示に関する字幕設定情報Ｉｓを取得して保持する第２処理と、保持されている字幕設定情報Ｉｓに基づき、動画を含むコンテンツ情報に字幕を含ませるか否かを決める第３処理と、コンテンツ情報をサブ表示装置へ送信する第４処理と、を含む。
【０１１７】
なお第３処理は、サブ表示装置３が接続されたときに予め保持されている字幕設定情報Ｉｓを参照し、コンテンツ情報にオン設定である字幕を含ませて、オフ設定である字幕を含ませないようにする処理である。
【０１１８】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、各種の表示装置等に利用することができる。
【符号の説明】
【０１１９】
１      メイン表示装置（情報送信装置）
１１    信号受信部
１２    デコード部
１３    画像処理部
１４    ＯＳＤ描画部
１５    第１ＯＳＤ重畳部
１６    第２ＯＳＤ重畳部
１７    ディスプレイ
１８    エンコード部
１９    通信部
２０    受信情報解析部
２１    設定情報保持部
２２    操作部
２３    制御部
３      サブ表示装置（表示装置）
３１    通信部
３２    デコード部
３３    画像処理部
３４    ディスプレイ
３５    操作部
３６    制御部
ＦＲ１  第１フレーム生成領域
ＦＲ２  第２フレーム生成領域
ＧＲ１  第１描画領域
ＧＲ２  第２描画領域
【図１】
2015019197.tif 000003
【図２】
2015019197.tif 000004
【図３】
2015019197.tif 000005
【図４】
2015019197.tif 000006
【図５】
2015019197.tif 000007
【図８】
2015019197.tif 000008
【図９】
2015019197.tif 000009
【図１０】
2015019197.tif 000010
【図１２】
2015019197.tif 000011
【図１３】
2015019197.tif 000012
【図６】
2015019197.tif 000013
【図７】
2015019197.tif 000014
【図１１】
2015019197.tif 000015